(57)【要約】  【課題】梱包機の稼動率を低下させることなく、梱包紙を簡易に交換する事ができるゲートル巻き梱包機を提供する。  【解決手段】幅狭梱包紙のコイルを載置する２本の水平アームが左右に１８０°反対方向に配された垂直な支持スタンドを有し、該支持スタンドは各水平アームの水平軸と直交する支持スタンド垂直軸を軸として１８０°回転させて設定が可能である梱包紙供給装置を有するゲートル巻き梱包機。水平アームには、正転、逆転および制動が可能な回動制御機構を配する事が好ましい。２本の水平アームは支持スタンドを貫通する共通の１のシャフトの両側に連結して配する事ができる。  【選択図】  図１
0003118440.tif 000002
【実用新案登録請求の範囲】
【請求項１】
幅狭梱包紙コイルを載置する２本の水平アームが左右に１８０°反対方向に配された垂直な支持スタンドを有し、該支持スタンドは各水平アームの水平軸と直交する支持スタンド垂直軸を軸として１８０°回動させて設定可能である梱包紙供給装置を有することを特徴とする、ゲートル巻き梱包機。
【請求項２】
水平アームのそれぞれに、水平アームの正転、逆転および制動が可能なアーム回動制御機構が配されていることを特徴とする、請求項１のゲートル巻き梱包機。
【請求項３】
２本の水平アームのそれぞれが、支持スタンドを貫通する共通の１のシャフトの両側に連結された水平アームであり、正転、逆転および制動が可能なアーム回動制御機構が１の水平アームに配され、１の水平アームと他の水平アームは該１のアーム回動機構により、正転、逆転および制動が可能であることを特徴とする、請求項１のゲートル巻き梱包機。
【考案の詳細な説明】
【技術分野】
【０００１】
本考案は帯状金属を巻きとった金属コイルに梱包紙をゲートル状に巻きつけるゲートル巻き梱包機に関する。図２は金属コイルの外観図で、（Ａ）はゲートル巻き梱包前の金属コイルである。金属コイルは出荷前に、輸送、貯蔵中の疵発生防止のためあるいは発銹防止のため、その内外面及び側面に幅狭の梱包紙をゲートル状に巻きつけて金属コイルを保持する場合が多い。（Ｂ）は（Ａ）の金属コイルにゲートル巻き梱包を施したゲートル巻き金属コイルである。
【背景技術】
【０００２】
図３は金属コイルをゲートル巻き梱包するゲートル巻き梱包機の例の説明図で、（Ａ）は全体の正面図、（Ｂ）は金属コイル１のａ−ａ縦断面図、（Ｃ）は梱包紙供給装置４の縦断面図である。
【０００３】
梱包前の金属コイル１は、例えば台車２に載置されて梱包紙巻付機３の下方に設定される。幅狭帯状の梱包紙８は梱包紙供給装置４のアーム６に載置された幅狭梱包紙コイル７から取り出され梱包紙巻付機３へ供給される。
【０００４】
梱包紙巻付機３には矢印方向に回動する多数の小径駆動ロール９が設けられている。梱包紙８はこれ等の小径駆動ロール９により引き込まれ、金属コイル１の頂部を周回し図３（Ｂ）の１０−１で示した１巻き目のゲートルを形成するが、１０−１が形成される間に金属コイルを梱包紙８の幅Ｗだけ矢印１１方向に回動する。梱包紙のこの周回と、金属コイルのこの回動を繰り返す事により２巻き目、３巻き目……のゲートルが連続して形成される。金属コイル１が矢印１１方向に１回転するとこの金属コイルのゲートル巻き梱包が完了する。
【考案の開示】
【考案が解決しようとする課題】
【０００５】
金属コイルの梱包に際しては、紙質の異なる梱包紙、例えば普通クレープ紙、ラミネート入りクレープ紙、ＶＣＩクレープ紙等が需要家の要望や金属コイルの用途に応じて使い分けて用いられている。また金属コイルは近年、品種が細分化し、このため小ロットで多本数の金属コイルの梱包処理が必要となって来ている。これ等の理由で、ゲートル巻き梱包に際しては梱包紙の変更が頻発するに至っている。
【０００６】
紙質の異なる梱包紙に変更する際には、図３の幅狭梱包紙コイル７を先の金属コイルに使用していた幅狭梱包紙コイル例えば７−１から後の金属コイルに使用する７−２に交換することとなるが、幅狭梱包紙コイルの交換が頻発すると、従来のゲートル巻き梱包機では交換作業が煩瑣となり、また交換作業中は梱包機を停止するためゲートル巻き梱包機の稼動率が低下するという問題点がある。
【０００７】
本考案は、この幅狭梱包紙コイルの交換を、簡易に且つ梱包機の稼動率を低下させる事なく行なう事が可能なゲートル巻き梱包機の提供を課題としている。
【課題を解決するための手段】
【０００８】
本考案は（１）幅狭梱包紙コイルを載置する２本の水平アームが左右に１８０°反対方向に配された垂直な支持スタンドを有し、該支持スタンドは各水平アームの水平軸と直交する支持スタンド垂直軸を軸として１８０°回動させて設定可能である梱包紙供給装置を有することを特徴とする、ゲートル巻き梱包機である。
【０００９】
また（２）水平アームのそれぞれに、水平アームの正転、逆転および制動が可能なアーム回動制御機構が配されていることを特徴とする、請求項１のゲートル巻き梱包機である。
【００１０】
また（３）２本の水平アームのそれぞれが、支持スタンドを貫通する共通の１のシャフトの両側に連結された水平アームであり、正転、逆転および制動が可能なアーム回動制御機構が１の水平アームに配され、１の水平アームと他の水平アームは該１のアーム回動機構により正転、逆転および制動が可能であることを特徴とする、請求項１のゲートル巻き梱包機である。
【００１１】
図１は本考案に用いる梱包紙供給装置の説明図で、（Ａ）はその平面説明図、（Ｂ）は１実施例の縦断面説明図、（Ｃ）は異なる実施例の縦断面説明図である。
【００１２】
図１で、本考案に係る梱包紙供給装置は、幅狭梱包紙コイル７−１，７−２を載置する２本の水平アーム１６−１，１６−２が左右に１８０°反対方向に配された垂直な支持スタンド１５を有する。該支持スタンド１５は、各水平アーム１６−１，１６−２の水平軸１２−１，１２−２と直交する支持スタンド垂直軸２１を軸として１８０°回動させて設定することができる。
【００１３】
この回動設定は、支持スタンド１５を例えばローラー１９を有する台車１８上に設置し、台車１８を矢印２０方向へ回動し設定する事により行なう事ができる。
【００１４】
先の金属コイルの梱包に際しては、図１の水平アーム１６−１は図３の６の向きに配され、先のコイルの梱包に用いる幅狭梱包紙コイル７−１は図３の７の位置に配されている。従って図３で述べたと同様の方法で先の金属コイルに７−１から取り出した幅狭梱包紙を用いてゲートル巻き梱包を施す。
【００１５】
紙質が７−１と異なる幅狭梱包紙コイル７−２を用いて後の金属コイルにゲートル巻き梱包を施す際は、梱包が完了した図３で述べた先の金属コイル１を例えば台車２と共に梱包紙巻付機３の下方から引き出し、例えば別の台車２に載置された後の金属コイルを梱包紙巻付機３の下方に引き込む。この引き出し、及び引き込みの間に図１（Ａ）の支持スタンド１５を矢印２０方向に１８０°回動させて設定する。
【００１６】
支持スタンド１５のこの回動設定により、図１の水平アーム１６−２は図３の６の向きに配され、後の金属コイルの梱包に用いる幅狭梱包紙コイル７−２は図２の７の位置に配されて、図３で述べたと同様の方法で後の金属コイルに７−２から取り出した幅狭梱包紙を用いてゲートル巻き梱包を行なう事となる。
【００１７】
図１（Ｂ）で本考案で用いる梱包紙供給装置には、水平アーム１６−１と１６−２のそれぞれに、正転、逆転及び制動が可能なアーム回動制御機構１７を配する事が好ましい。図１（Ｂ）のアーム回動制御機構１７は、モーター１３−１（１３−２）のシャフトと水平アーム１６−１（１６−２）をベルト１４−１（１４−２）で連結し、モーター１３−１（１３−２）の駆動により水平アーム１６−１（１６−２）を正転、逆転及び制動するアーム回動制御機構１７−１（１７−２）の例である。但し、本考案のこの回動制御機構には公知の各種形式のものが含まれる。
【００１８】
水平アーム１６−１（１６−２）の正転、制動はスムーズにゲートル巻きを行なうために好ましい。尚、幅狭梱包紙コイル７−１を７−２に交換する際は、先に使用した幅狭梱包紙コイル７−１から出た図３の８で示した幅狭帯状梱包紙は、梱包紙供給装置４と梱包紙巻付機３の間で切断し垂下させるが、水平アーム６を逆転させると、切断により発生した幅狭帯状梱包紙８の長尺の垂下部分は幅狭梱包紙コイル７に迅速に巻きつけられるために好ましい。
【００１９】
図１（Ｃ）では梱包紙供給装置の２本の水平アーム１６−１，１６−２は、支持スタンド１５を貫通する共通の一のシャフトの両側に連結して配する。この際には水平アーム１６−１，１６−２は共通の一のシャフトに一体物として連結して配されているため、一方の水平アームを正転、逆転あるいは制動すると、他方の水平アームもこれに追従して正転、逆転あるいは制動されることとなる。従って何れか一方の水平アームのみに回動制御装置を設ければ十分で、梱包紙供給装置の構造が簡易となり好ましい。
【００２０】
尚図１では１６−１と１６−２の双方の水平アームに幅狭梱包紙コイルを載置した例を述べたが、幅狭梱包紙コイルの交換頻度が少ない場合は、一方の水平アームにのみ幅狭梱包紙コイルを載置し、他方の水平アームには幅狭梱包紙コイルを載置しないで休止状態とし、あるいは空転させる事も可能である事は言うまでもない。
【考案の効果】
【００２１】
本考案を用いると、幅狭梱包紙コイル７−１を７−２へ変更するに際しては、従来行なっていた、７−１を取り外し７−２を取り付ける煩瑣な作業が不必要で、支持スタンド１５を１８０°回動、設定する簡易な操作のみで可能となる。従って７−１と７−２の交換が頻繁な場合でも簡易に対応する事ができる。尚、支持スタンド１５を１８０°回動設定する操作は短時間であるため、先の金属コイルと後の金属コイルの交換の間に併行して行なう事ができる。従って交換のために梱包機の停止時間が延長する事がなく、従来の梱包機よりも稼動率が向上する。
【００２２】
尚本考案で、例えば先の金属コイルを７−１で梱包した次に後の金属コイルの梱包に、７−１，７−２以外の図示しない７−３を用いる場合は、前の金属コイルに７−１を用いてゲートル巻きを施している操業の間に、梱包に供されていない方の幅狭梱包紙コイル７−２を７−３と交換するが、この幅狭梱包紙コイルの交換は前の金属コイルに７−１を用いてゲートル巻きを施している間に行われるため、梱包機の格別の停止は不必要で、従って上記と同様に交換のために梱包機の停止時間が延長する事がなく、従来の梱包機よりも稼動率が向上する。
【図面の簡単な説明】
【００２３】
【図１】本考案に用いる梱包紙供給装置の説明図。
【図２】金属コイルの外観を示す図。
【図３】従来のゲートル巻き梱包機の例の説明図。
【符号の説明】
【００２４】
１：金属コイル、
２：台車、
３：梱包紙巻付機、
４：梱包紙供給装置、
５：支持スタンド、
６：水平アーム、
７，７−１，７−２：幅狭梱包紙コイル、
８：幅狭帯状梱包紙、
９：小径駆動ロール、
１０−１：１巻き目のゲートル、１０−２：２巻き目のゲートル、
１１：金属コイルの回動方向、
１２−１，１２−２：水平アームの水平軸
１３−１，１３−２：モーター、
１４−１，１４−２：ベルト、
１５：支持スタンド、
１６−１，１６−２：水平アーム、
１７−１，１７−２：アーム回動制御機構、
１８：台車、
１９：ローラ、
２０：支持スタンドの回動方向、
２１：支持スタンド回動軸。
【図１】
0003118440.tif 000003
【図２】
0003118440.tif 000004
【図３】
0003118440.tif 000005